(57)【要約】【課題】ファインダ接眼部から入光した迷光、撮像光学系から入光する内面反射などから発生する不要光が撮像素子に導かれることを防止し、高品質な画像を得られる撮像装置を提供すること。【解決手段】撮像素子（１４）と、撮影者が被写体像を観察するためのファインダ光学系（１１０）と、被写体像を前記ファインダ光学系（１１０）の光束と前記撮像素子（１４）へ向かう光束とに分割する光路分割部材（１１２）と、前記ファインダ光学系（１１０）を遮光する第１の遮光部材（４２）と、前記撮像素子（１４）を遮光する第２の遮光部材（１２）と、を有する撮像装置であって、撮影指示がなされた際、第１の遮光部材（４２）により前記ファインダ光学系（１１０）が遮光されてから前記撮像素子（１４）を露光し、撮影条件によって定められる所定時間後に第２の遮光部材（１２）で撮像素子（１４）を遮光することを特徴とする。【選択図】図１
2016133687.tif 000002
【特許請求の範囲】
【請求項１】
撮像素子（１４）と、
撮影者が被写体像を観察するためのファインダ光学系（１１０）と、
被写体像を前記ファインダ光学系の光束と前記撮像素子（１４）へ向かう光束とに分割する光路分割部材（１１２）と、
前記ファインダ光学系（１１０）を遮光する第１の遮光部材（４２）と、
前記撮像素子（１４）を遮光する第２の遮光部材（１２）と、を有する撮像装置であって、
撮影指示がなされた際、第１の遮光部材（４２）により前記ファインダ光学系（１１０）が遮光されてから前記撮像素子（１４）を露光し、
撮影条件によって定められる所定時間後に第２の遮光部材（１２）で撮像素子（１４）を遮光することを特徴とする撮像装置。
【請求項２】
撮影動作終了後、第１の遮光部材（４２）を開いた後、第２の遮光部材（１２）を開くことを特徴とする請求項１に記載の撮像装置。
【請求項３】
撮影者がファインダ光学系（１１０）を使用しているか否かを判別する接眼検知手段（４８）を有し、該接眼検知手段（４８）により撮影者がファインダ光学系（１１０）に接眼していないと判別された場合、前記第１の遮光部材（４２）で前記ファインダ光学系（１１０）を遮光することを特徴とする請求項１に記載の撮像装置。
【請求項４】
撮影モード選択手段（６０）と、ライブビュー撮影モードと、撮影した画像を表示可能な画像表示手段（２８）を有し、前記撮影モード選択手段（６０）により前記ライブビュー撮影モードが選択された場合は、前記第１の遮光部材（４２）で前記ファインダ光学系（１１０）を遮光することを特徴とする請求項１に記載の撮像装置。
【請求項５】
セルフ撮影モードを有し、前記撮影モード選択手段により前記セルフ撮影モードが選択された場合は、前記第１の遮光部材で前記ファインダ光学系を遮光することを特徴とする請求項１に記載の撮像装置。
【請求項６】
撮影モード選択手段（６０）と、動画撮影モードと、撮影した画像を表示可能な画像表示手段（２８）を有し、前記撮影モード選択手段（６０）により前記動画撮影モードが選択され、且つ前記接眼検知手段（４８）により撮影者がファインダ光学系（１１０）に接眼していないと判別された場合、前記第１の遮光部材（４２）で前記ファインダ光学系（１１０）を遮光するとともに、前記画像表示手段（２８）にライブビュー画像を表示することを特徴とする請求項１に記載の撮像装置。
【請求項７】
撮影環境が逆光であるか否かを判別する逆光判別手段（５０）を有し、前記逆光判別手段により撮影環境が逆光であると判別された場合は、撮影指示がなされても前記第１の遮光部材（４２）で前記ファインダ光学系（１１０）を遮光しないことを特徴とする請求項１に記載の撮像装置。
【請求項８】
連写撮影モードを有し、前記撮影モード選択手段（６０）により前記連写撮影モードが選択され、連写速度が所定より早い場合は、第１の遮光部材（４２）で前記ファインダ光学系（１１０）を遮光せず、前記第２の遮光部材（１２）が撮影動作に連動して前記撮像素子（１４）を遮光することを特徴とする請求項１に記載の撮像装置。
【発明の詳細な説明】
【技術分野】
【０００１】
本発明は、被写体からの光束を観察可能な光学式ファインダを備えた撮像装置に関し、特に撮像中の不要な迷光・内面反射防止構造に関する。
【背景技術】
【０００２】
従来、一般的に一眼レフカメラやデジタルスチルカメラなどの撮像装置では、被写体の光束をハーフミラーなどの光学部材を用いて分光し、撮像用の撮像素子と観察用の光学式ファインダに導くように構成されている。
【０００３】
しかしながら、ファインダ光学系の接眼レンズより侵入した光線が、ハーフミラーを透過し撮像装置内部で反射し撮像素子に到達することで、撮影画像に意図せず不要な光が写りこみ画像劣化を招く事がある。
【０００４】
これらの不要光を防ぐために、特許文献１では、光線を分割するビームスプリッタ側面にゴースト反射面を備える事でファインダ光学系側から侵入する光線を防止する構成が開示されている。特許文献２では、観察時には分光手段を半透光状態にし、ファインダ光学系と撮像素子に光を導き、撮影時には分光手段を退避させ撮像素子のみに光を与え、分光手段を遮光状態に制御する構成が開示されている。
【先行技術文献】
【特許文献】
【０００５】
【特許文献１】特開平１０−２６０４５４号公報
【特許文献２】特開２００１−１８９８８０号公報
【発明の概要】
【発明が解決しようとする課題】
【０００６】
しかしながら、上述の特許文献に開示された従来技術では、ファインダ光学系から入射する不要な光束に対しては有効であるが、撮影光学系から入射した光束は撮像装置内部や分光手段で反射し、不要な光線（内面反射など）として撮像素子に導かれてしまう。
【０００７】
そこで、本発明の目的は、ファインダ接眼部から入光した迷光のみならず撮影光学系から入射する光束から発生する不要光が撮像素子に導かれることを防止し、高品質な画像を得られる撮像装置を提供することにある。
【課題を解決するための手段】
【０００８】
上記の目的を達成するために、本発明は、
撮像素子と、撮影者が被写体像を観察するためのファインダ光学系と、被写体像を前記ファインダ光学系の光束と前記撮像素子へ向かう光束とに分割する光路分割部材と、前記ファインダ光学系を遮光する第１の遮光部材と、前記撮像素子を遮光する第２の遮光部材と、を有する撮像装置であって、撮影指示がなされた際、第１の遮光部材により前記ファインダ光学系が遮光されてから前記撮像素子を露光し、撮影条件によって定められる所定時間後に第２の遮光部材で撮像素子を遮光することを特徴とする。
【発明の効果】
【０００９】
本発明によれば、画像劣化原因となる不要な光が撮像素子に導かれることを防止し、高品質な画像を得られる撮像装置の提供を実現できる。
【図面の簡単な説明】
【００１０】
【図１】本発明の一実施形態であるデジタルカメラの内部構成を示すブロック図である。
【図２】発明の一実施形態であるデジタルカメラを光軸で切断した時の断面概略図である。
【図３】通常撮影時におけるデジタルカメラの動作および処理手順を示すフローチャートである。
【図４】撮影者がファインダ光学系に接眼しているか否かでデジタルカメラの動作を変更する場合の処理手順を示すフローチャートである。
【図５】撮影者がライブビュー撮影モードを選択した場合のデジタルカメラの動作および処理手順を示すフローチャートである。
【図６】撮影者がセルフ撮影モードを選択した場合のデジタルカメラの動作および処理手順を示すフローチャートである。
【図７】撮影者が動画撮影モードを選択した場合のデジタルカメラの動作および処理手順を示すフローチャートである。
【図８】撮影環境が逆光である場合のデジタルカメラの動作および処理手順を示すフローチャートである。
【図９】撮影者が連写撮影モードを選択した場合のデジタルカメラの動作および処理手順を示すフローチャートである。
【図１０】撮影者が連写撮影モードを選択し、且つ高速連写である場合のデジタルカメラの動作および処理手順を示すフローチャートである。
【図１１】撮影者が連写撮影モードを選択し、且つ低速連写である場合のデジタルカメラの動作および処理手順を示すフローチャートである。
【発明を実施するための形態】
【００１１】
以下に、本発明の好ましい実施の形態を、添付の図面に基づいて詳細に説明する。
【００１２】
はじめに、図１および図２を用いて、本発明の一実施形態であるデジタルカメラの構成について説明する。図１は本発明の一実施形態であるデジタルカメラの内部構成を示すブロック図である。図２は図１に示したデジタルカメラを光軸で切断した時の断面概略図である。
【００１３】
図１に示すように、本実施形態のデジタルカメラは、デジタルカメラ本体１００と、複数の撮影レンズ３１０などから構成される撮影光学系を含む撮影レンズユニット３００と、記録媒体２００から構成される。
【００１４】
撮影レンズユニット３００は、撮影レンズ３１０を駆動させる駆動部および撮影レンズ３１０を透過する被写体光束の入射光量を調整する光量制限手段である絞り３１２などを含む構成である。また、撮影レンズユニット３００はデジタルカメラ本体１００に対して着脱自在に配設されている。
【００１５】
デジタルカメラ本体１００は、以下のように構成されている。
【００１６】
１２は、第２の遮光部材である撮像用シャッターであり、撮像用シャッターモータ（図示せず）を通電駆動することにより開き、シャッター用マグネット（図示せず）への通電を解除することで閉じる。撮像用シャッターを開閉することで、撮像素子１４への露光量を制御する。
【００１７】
１４は、光学像を電気信号に変換する撮像素子である。撮影レンズ３１０に入射した光束は、シャッター１２を介して導かれ、光学像として撮像素子１４の撮像面上に結像する。
【００１８】
１６は、撮像素子１４からのアナログ信号出力をデジタル信号（以下、画像データとする）に変換するＡ／Ｄ変換器である。
【００１９】
１８は、撮像素子１４、Ａ／Ｄ変換器１６にクロック信号や制御信号を供給するタイミング発生回路であり、メモリ制御回路２２およびシステム制御回路５０により制御される。
【００２０】
２０は、画像処理回路であり、Ａ／Ｄ変換器１６からの画像データあるいはメモリ制御回路２２からの画像データに対して所定の画素補間処理や色変換処理を行う。
【００２１】
メモリ制御回路２２は、Ａ／Ｄ変換器１６、タイミング発生回路１８、画像処理回路２０、画像表示メモリ２４、画像メモリ３０、圧縮・伸長回路３２を制御する。Ａ／Ｄ変換器１６が出力する画像データは、画像処理回路２０およびメモリ制御回路２２を介して、あるいはメモリ制御回路２２のみを介して画像表示メモリ２４あるいは画像メモリ３０に書き込まれる。
【００２２】
画像表示メモリ２４、Ｄ／Ａ変換器２６、例えばＴＦＴなどの画像表示手段である画像表示部２８は、画像表示のための処理を行う。具体的には、画像表示メモリ２４に書き込まれた表示用の画像データが、画像表示部２８に出力されて表示される。具体的には、画像表示メモリ２４に書き込まれた表示用の画像データが、Ｄ／Ａ変換器２６を介して画像表示部２８に出力されて表示される。画像表示部２８を用いて撮像素子１４で撮像した画像データを逐次表示すれば、ライブビュー表示を行うことが出来る。
【００２３】
画像メモリ３０は、撮影した静止画像や動画像を格納するための記憶媒体であり、所定枚数の静止画像や所定時間の動画像を格納するのに十分な記憶容量を備えている。これにより、複数枚の静止画像を連続して撮影する連写撮影の場合にも、高速かつ大容量の画像書き込みを画像メモリ３０に対して行うことが可能である。また、画像メモリ３０はシステム制御回路５０の作業領域としても使用することが可能である。
【００２４】
３２は、適応離散コサイン変換（ＡＤＣＴ）などにより画像データを圧縮伸長する圧縮・伸長回路であり、画像メモリ３０に格納された画像データを読み込んで圧縮処理あるいは伸長処理を行い、処理を終えた画像データを画像メモリ３０に書き込む。
【００２５】
４０は、ミラーボックスであり、ハーフミラー１１２が任意の角度で固定されている。
【００２６】
４２は、第１の遮光部材であるファインダ用シャッターであり、ファインダ用シャッターモータ（図示せず）を通電駆動させることで開閉する。ファインダ用シャッターを閉じることで、ファインダ光学系１１０に対して、撮影レンズ３１０に入射した被写体光束を遮光する。また、撮像素子１４およびミラーボックス３８に対して、ファインダ光学系１１０から入射した光束を遮光する。
【００２７】
４４は、露出制御手段４４からの測光情報に基づいて、絞り３１２を制御する絞り制御回路３３０と連携しながら撮像用シャッター１２を制御する撮像用シャッター制御回路である。システム制御回路５０からの指示により、撮像用シャッターモータおよびシャッター用マグネット（共に図示せず）への通電制御を行う。
【００２８】
４６は、撮影動作に応じてファインダ用シャッター３６を制御するファインダ用シャッター制御回路である。システム制御回路５０からの指示により、ファインダ用シャッターモータ（図示せず）への通電制御を行う。
【００２９】
４８は、撮影者がファインダ光学系１１０使用しているか否かを判別する接眼検知手段であり、近接センサなどを用いて検知する。
【００３０】
５０は、デジタルカメラ本体１００全体を制御するシステム制御回路であり、５２は、システム制御回路５０の動作用の定数、変数、プログラムなどを記憶するメモリである。
【００３１】
システム制御回路５０は、デジタルカメラ本体１００の様々な動作において、判別手段および制御手段として用いられる。またシステム制御回路５０は、撮像素子１４によって撮像した画像データを画像処理回路２０によって演算した演算結果に基づき、撮像用シャッター制御回路４０、絞り制御回路３３０、測距制御回路３３２に対して制御を行い、コントラストＡＦ方式を用いてＡＦ処理およびＡＥ処理をする。また、撮像した画像データかから撮影環境の判別も行う。
【００３２】
５４は、システム制御回路５０でのプログラムの実行に応じて、文字、画像、音声などを用いて動作状態やメッセージを表示する液晶ディスプレイなどの表示機能、および動作音や、警告音などを発音するスピーカーなどの発音機能を備える表示部である。
【００３３】
５６は、経過時間を測定するタイマーである。
【００３４】
モードダイヤル６０、レリーズスイッチＳＷ１（６２）およびレリーズスイッチＳＷ２（６４）、動画スイッチ６６、操作部７０、電源スイッチ７２は、システム制御回路５０の各種の動作指示を入力するための操作手段である。
【００３５】
モードダイヤル６０は、撮影モードを切り替え設定することが出来る回転式スイッチであり、ライブビュー撮影モードやセルフ撮影モード、動画撮影モードなど各種撮影モードを有する。
【００３６】
レリーズスイッチＳＷ１（６２）は、レリーズボタン（図示せず）の操作途中でオンとなり、ＡＦ（オートフォーカス）処理、ＡＥ（自動露出）処理、ＷＢ（ホワイトバランス）処理、ＥＦ（ストロボ調光）処理などの動作開始を指示する。
【００３７】
レリーズスイッチＳＷ２（６４）は、レリーズボタン（図示せず）の操作完了でオンとなり、撮像素子１４から読み出した信号をＡ／Ｄ変換器１６、メモリ制御回路２２を介して画像メモリ３０に画像データを書き込む露光処理、画像処理回路２０やメモリ制御回路２２での演算を用いた現像処理、画像メモリ３０から画像データを読み出し、圧縮・伸長回路３２で圧縮を行い、記録媒体２００に画像データを書き込む記録処理という一連の処理の動作開始を指示する。
【００３８】
動画スイッチ６６は、押しボタンやレバーなどから成り、一度オンされると動画記録を開始し、再びオンされると動画記録を停止する。
【００３９】
操作部７０は、各種ボタンやスイッチなどから成り、撮影および再生を実行する際に各種機能の選択および切り替えの設定や、撮影および再生に係る指示を行う。
【００４０】
電源スイッチ７２は、デジタルカメラ本体１００の電源オン、電源オフを切り替え設定することが出来る。
【００４１】
８０は、電源制御回路であり、電池検出回路、ＤＣ／ＤＣコンバータ、通電するブロックを切り替えるスイッチ回路などにより構成されている。電池８２の種類や残量の検出を行い、検出結果およびシステム制御回路５０の指示に基づいてＤＣ−ＤＣコンバータを制御し、必要な電圧を必要な期間、記録媒体を含む各部へ供給する。
【００４２】
８２は、ＮｉＣｄ電池やＮｉＭＨ電池、Ｌｉ電池などの二次電池から成る電池であり、デジタルカメラ本体１００の電源となる。
【００４３】
１１０は、ファインダ光学系であり、撮影レンズ３１０およびハーフミラー１１２により導かれた被写体光束を撮影者が観察する。
【００４４】
１１２は、光路分割部材であるハーフミラーで、ミラーボックス４０に任意の角度で固定保持されている。撮影レンズ３１０により導かれた被写体光束を、光軸に沿ってファインダ光学系１１０へ導くと同時に、その一部を透過させて撮像素子１４へも導く。
【００４５】
以下、図３乃至図１１を参照して、本発明の実施形態であるファインダ用シャッター４２と撮像用シャッター１２を有するデジタルカメラの動作について説明する。
【００４６】
はじめに図３を用いて、通常撮影時におけるデジタルカメラの動作および処理手順について説明する。図３は通常撮影時におけるデジタルカメラの動作および処理手順を示すフローチャートである。
【００４７】
図３に示したように、電源スイッチ７２により電源がオンされると（ステップＳ１００）、システム制御回路５０はレリーズスイッチＳＷ１（６２）がオンされたか否かを判別する（ステップＳ１０１）。
【００４８】
レリーズスイッチＳＷ１（６２）がオンされていない場合（ステップＳ１０１のＮＯ側）、システム制御回路５０はレリーズＳＷ１（６２）がオンされるまで、判別動作を繰り返す。
【００４９】
レリーズスイッチＳＷ１（６２）がオンされたと判別された場合（ステップＳ１０１のＹＥＳ側）、撮像素子１４によって撮像した画像データを画像処理回路２０によって演算した演算結果に基づき、撮像用シャッター制御回路４０、絞り制御回路３３０、測距制御回路３３２に対して制御を行い、コントラストＡＦ方式を用いたＡＦ処理およびＡＥ処理を開始する（ステップＳ１０２）。
【００５０】
続いてシステム制御回路５０は、レリーズスイッチＳＷ２（６４）がオンされたか否かを判別する（ステップＳ１０３）。
【００５１】
レリーズスイッチＳＷ２（６４）がオンされていない場合（ステップＳ１０３のＮＯ側）、システム制御回路５０はレリーズＳＷ２（６４）がオンされるまで、判別動作を繰り返す。
【００５２】
レリーズスイッチＳＷ２（６４）がオンされたと判別された場合（ステップＳ１０３のＹＥＳ側）、システム制御回路５０は、ファインダ用シャッター制御回路４６を介してファインダ用シャッター４２を閉じる（ステップＳ１０４）。
【００５３】
次にシステム制御回路５０は、ＡＦ処理およびＡＥ処理を終了させる（ステップＳ１０５）。ファインダ用シャッター４２を閉じてＡＦ処理およびＡＥ処理を行うことで、ファインダ光学系１１０からミラーボックス４０に侵入する光束を遮光できるため、ＡＦ処理およびＡＥ処理の精度を上げることが出来る。
【００５４】
ＡＦ処理およびＡＥ処理が終了すると、システム制御回路５０は、タイミング発生回路１８を制御して撮像素子１４の電子先幕を走らせ、撮像素子１４を露光する（ステップＳ１０６）。
【００５５】
システム制御回路５０は、撮影条件により算出された露光時間後に撮像用シャッター制御回路４４を介して撮像用シャッター１２を閉じ、タイミング発生回路１８を制御して撮像素子１４からのアナログ信号を読み出す（ステップＳ１０７）。そして、システム制御回路５０は、ファインダ用シャッター制御回路４６を介してファインダ用シャッター４２を開く（ステップＳ１０８）。
【００５６】
システム制御回路５０は、撮像用シャッター制御回路４４を介して撮像用シャッター１２を開く（ステップＳ１０９）。
【００５７】
撮像素子１４から読み出されたアナログ信号は、Ａ／Ｄ変換器１６によってデジタル信号に変換された後、画像メモリ３０に記憶する。画像メモリ３０に記憶された画像データから、記録媒体２００に記録する画像データと、クイックレビュー表示用の画像データの２つの画像データが作成される。
【００５８】
記録媒体２００に記録する画像データは、画像処理回路２０にてＪＰＥＧ形式などで所定の現像および圧縮処理を行い、再度画像メモリ３０に記憶される。また、記録用の画像データは、画像表示部２８の画素数に基づいて、所定の現像、画素間引き、圧縮処理などの画像処理が施され、画像表示メモリ２４に記憶される。画像メモリ３０に記憶された記録媒体２００に記録される画像データは、記録媒体２００の記録領域２０２に書き込み、記録される（ステップＳ１１０）。
【００５９】
また、画像表示メモリ２４に記憶されたクイックレビュー表示用画像データは、メモリ制御回路２２およびＤ／Ａ変換器２６を介して画像表示部２８に表示される（ステップ１１１）。クイックレビュー表示は、撮影者により予め設定された時間、画像表示部２８に表示される。
【００６０】
最後に、システム制御回路５０は、電源スイッチ７２がオフになったか否かを判別する（ステップＳ１１３）。
【００６１】
電源スイッチ７２がオンのままである場合（ステップＳ１１３のＮＯ側）、ステップＳ１０１に進む。電源スイッチ７２がオフになったと判別された場合（ステップＳ１１３のＹＥＳ側）、システム制御回路５０は電源制御回路８０を制御し、電池８２からの給電を停止する（ステップＳ１１４）。
【００６２】
以上説明したように、撮像用シャッター１２を閉じてからファインダ用シャッター４２を開くことで、撮像素子１４の露光中にはファインダ光学系１１０からの光束を遮光することが出来る。また、撮像素子１４の露光が終了してすぐファインダ用シャッター４２を開くことで、ファインダ消失時間を出来る限り短くすることが可能である。そして、撮像用シャッター１２とファインダ用シャッター４２を同時に駆動させないことで、電力負荷を分散することが出来る。
【００６３】
更には、一連の撮影動作が終了した時、撮像用シャッター１２およびファインダ用シャッター４２は共に開いた状態とし、撮影動作以外の場合でも撮影者がファインダ光学系１１０から被写体を観察することが可能である。また撮影開始時に予め撮像用シャッター１４が開いているので、一度開いてから閉じることによる時間のロスを減らすことが出来る。
【００６４】
図４を用いて、撮影者がファインダ光学系１１０に接眼している場合と接眼していない場合のデジタルカメラ動作の違いおよび処理手順について説明する。図４は撮影者がファインダ光学系１１０に接眼しているか否かでデジタルカメラの動作を変更する場合の処理手順を示すフローチャートである。
【００６５】
図４に示したように、電源スイッチ７２により電源がオンされると（ステップＳ２００）、システム制御回路５０は接眼検知手段４８を制御して、撮影者がファインダ光学系１１０を使用しているか否かを判別する（ステップＳ２０１）。
【００６６】
撮影者がファインダ光学系１１０を使用している場合（ステップＳ２０１のＹＥＳ側）、ステップＳ２０４へ進む。
【００６７】
撮影者がファインダ光学系１１０を使用していない場合（ステップＳ２０１のＮＯ側）、システム制御回路５０は、ファインダ用シャッター制御回路４６を介してファインダ用シャッター４２を閉じる（ステップＳ２０２）。そして撮像素子１４および画像表示メモリ２４、Ｄ／Ａ変換器２６を制御して画像表示部２８にライブビュー表示を開始する（ステップＳ２０３）。
【００６８】
次にシステム制御回路５０は、レリーズスイッチＳＷ２（６４）がオンされたか否かを判別する（ステップＳ２０４）。
【００６９】
レリーズスイッチＳＷ１（６２）がオンされていない場合（ステップＳ２０４のＮＯ側）、再度、接眼検知手段４８を制御して、撮影者がファインダ光学系１１０を使用しているか否かを判別する（ステップＳ２０５）。撮影者がファインダ光学系１１０を使用していない場合（ステップＳ２０５のＮＯ側）、ライブビュー表示中であるか否かを判別し（ステップＳ２０６）、ライブビュー表示をしていない場合（ステップＳ２０６のＮＯ側）はステップＳ２０２へ進み、ライブビュー表示中であれば（ステップＳ２０６のＹＥＳ側）ステップＳ２０４へ進む。
【００７０】
ステップＳ２０５において撮影者がファインダ光学系１１０を使用していると判別された場合（ステップＳ２０５のＹＥＳ側）も同様にライブビュー表示中であるか否かを判別する（ステップＳ２０７）。ライブビュー表示をしていない場合（ステップＳ２０６のＮＯ側）はステップＳ２０４へ進む。ライブビュー表示中である場合（ステップＳ２０６のＹＥＳ側）、現在は撮影者がファインダ光学系１１０を使用して被写体を観察しているので、システム制御回路５０が画像表示手段２８を制御してライブビュー表示を終了させる（ステップＳ２０８）。そしてファインダ用シャッター制御回路４６を介してファインダ用シャッター４２を開き（ステップＳ２０９）、ステップＳ２０４へ進む。
【００７１】
ステップＳ２０４において、レリーズスイッチＳＷ２（６４）がされたと判別された場合（ステップＳ２０４のＹＥＳ側）、システム制御回路５０はライブビュー表示中であるか否かを判別する（ステップＳ２１２）。ライブビュー表示をしていない場合（ステップＳ２１２のＮＯ側）は図３のステップＳ１０４へ進む。
【００７２】
ライブビュー表示中である場合（ステップＳ２０４のＹＥＳ側）、システム制御回路５０は、ファインダ用シャッター４２を閉じずに、ＡＦ処理およびＡＥ処理を終了させる（ステップＳ２１３）。ライブビュー表示中の場合、ステップＳ２０２でファインダ用シャッター４２を閉じているので、ファインダ光学系１１０からミラーボックス４０に光束が侵入することがない。
【００７３】
ＡＦ処理およびＡＥ処理が終了すると、システム制御回路５０は、タイミング発生回路１８を制御して撮像素子１４の電子先幕を走らせ、撮像素子１４を露光する（ステップＳ２１４）。
【００７４】
システム制御回路５０は、撮影条件により算出された露光時間後に撮像用シャッター制御回路４４を介して撮像用シャッター１２を閉じ、タイミング発生回路１８を制御して撮像素子１４からのアナログ信号を読み出す（ステップＳ２１５）。そして、システム制御回路５０は撮像用シャッター制御回路４４を介して撮像用シャッター１２を開く（ステップＳ２１６）。
【００７５】
図３のステップＳ１１０と同じく、画像処理が施された画像データは、記録媒体２００の記録領域２０２に書き込み、記録され（ステップＳ２１７）、また画像表示部２８にクイックレビュー表示される（ステップ２１８）。
【００７６】
最後に、システム制御回路５０は、電源スイッチ７２がオフになったか否かを判別する（ステップＳ２１９）。電源スイッチ７２がオンのままである場合（ステップＳ２１９のＮＯ側）、ステップＳ２０５に進む。電源スイッチ７２がオフになったと判別された場合（ステップＳ２１９のＹＥＳ側）、システム制御回路５０はファインダ用シャッター制御回路４６を介してファインダ用シャッター４２を開く（ステップＳ２２０）。また、電源制御回路８０を制御し、電池８２からの給電を停止する（ステップＳ２２１）。
【００７７】
以上説明したように、撮影者がファインダ光学系１１０を使用しない場合は画像表示部２８に表示するライブビューで被写体観察をするので、予めファインダ用シャッター４２を閉じてライブビュー時にミラーボックス４０および撮像素子１４に侵入するファインダ光学系１１０からの光束を遮光することが出来る。
【００７８】
図５を用いて、撮影モードがライブビュー撮影モードである場合におけるデジタルカメラの動作および処理手順について説明する。図５は撮影者がライブビュー撮影モードを選択した場合のデジタルカメラの動作および処理手順を示すフローチャートである。
【００７９】
図５に示したように、電源スイッチ７２により電源がオンされると（ステップＳ３００）、システム制御回路５０は、撮影者によってモードダイヤル６０が操作されて撮影モードがライブビュー撮影モードになったか否かを判別する（ステップＳ３０１）。
【００８０】
撮影モードがライブビュー撮影モードになっていない場合（ステップＳ３０１のＮＯ側）、システム制御回路５０はライブビュー撮影モードになるまで判別動作を繰り返す。
【００８１】
撮影モードがライブビュー撮影モードになっていると判別された場合（ステップＳ３０１のＹＥＳ側）、システム制御回路５０は、ファインダ用シャッター制御回路４６を介してファインダ用シャッター４２を閉じる（ステップＳ３０２）。ライブビュー撮影モードでは、画像表示部２８に表示されるライブビューで被写体を確認して撮影を行うため、撮影者はファインダ光学系１１０を使用しない。
【００８２】
続いてシステム制御回路５０は、撮像素子１４およびＡ／Ｄ変換器１６、タイミング発生回路１８、画像処理回路２０、画像表示メモリ２４、Ｄ／Ａ変換器２６を制御して画像表示部２８にライブビュー表示を開始する（ステップＳ３０３）。
【００８３】
システム制御回路５０は、レリーズスイッチＳＷ１（６２）がオンされたか否かを判別する（ステップＳ３０４）。
【００８４】
レリーズスイッチＳＷ１（６２）がオンされていない場合（ステップＳ３０４のＮＯ側）、システム制御回路５０はレリーズＳＷ１（６２）がオンされるまで、判別動作を繰り返す。
【００８５】
レリーズスイッチＳＷ１（６２）がオンされたと判別された場合（ステップＳ３０４のＹＥＳ側）、ＡＦ処理およびＡＥ処理を行う（ステップＳ３０５）。
【００８６】
続いてシステム制御回路５０は、レリーズスイッチＳＷ２（６４）がオンされたか否かを判別する（ステップＳ３０６）。
【００８７】
レリーズスイッチＳＷ２（６４）がオンされていないと判別された場合（ステップＳ３０６のＮＯ側）、モードダイヤル６０が操作されて撮影モードがライブビュー撮影モードから変更されたか否かを判別する（ステップＳ３０７）。撮影モードがライブビュー撮影モードのままである場合（ステップＳ３０７のＹＥＳ側）、ステップＳ３１５へ進む。
【００８８】
モードダイヤル６０が操作され、撮影モードがライブビュー撮影モードから変更された場合（ステップＳ３０７のＮＯ側）、システム制御回路５０は画像表示部２８へのライブビュー表示を終了させ（ステップＳ３０８）、ファインダ用シャッター制御回路４６を介してファインダ用シャッター４２を開き（ステップＳ３０９）、図３のステップＳ１０４へ進む。
【００８９】
ステップＳ３０６において、レリーズスイッチＳＷ２（６４）がされたと判別された場合（ステップＳ３０６のＹＥＳ側）、タイミング発生回路１８を制御して撮像素子１４の電子先幕を走らせ、撮像素子１４を露光する（ステップＳ３１０）。
【００９０】
システム制御回路５０は、撮影条件により算出された露光時間後に撮像用シャッター制御回路４４を介して撮像用シャッター１２を閉じ、タイミング発生回路１８を制御して撮像素子１４からのアナログ信号を読み出す（ステップＳ３１１）。
【００９１】
そして、システム制御回路５０は、撮像用シャッター制御回路４４を介して撮像用シャッター１２を開く（ステップＳ３１２）。
【００９２】
図３のステップＳ１１０と同じく、画像処理が施された画像データは、記録媒体２００の記録領域２０２に書き込み、記録され（ステップＳ３１３）、また画像表示部２８にクイックレビュー表示される（ステップ３１４）。
【００９３】
最後に、システム制御回路５０は、電源スイッチ７２がオフになったか否かを判別する（ステップＳ３１５）。電源スイッチ７２がオンのままである場合（ステップＳ３１５のＮＯ側）、ステップＳ３０４に進む。電源スイッチ７２がオフになったと判別された場合（ステップＳ３１５のＹＥＳ側）、システム制御回路５０は、ファインダ用シャッター制御回路４６を介してファインダ用シャッター４２を開く（ステップＳ３１６）。また、電源制御回路８０を制御し、電池８２からの給電を停止する（ステップＳ３１７）。
【００９４】
以上説明したように、撮影モードがライブビュー撮影モードである場合は、予めファインダ用シャッター４２を閉じることで、ライブビュー時にミラーボックス４０および撮像素子１４に侵入するファインダ光学系１１０からの光束を遮光することが出来る。
【００９５】
図６を用いて、撮影モードがセルフ撮影モードである場合におけるデジタルカメラの動作および処理手順について説明する。図６は撮影者がセルフ撮影モードを選択した場合のデジタルカメラの動作および処理手順を示すフローチャートである。
【００９６】
図６に示したように、電源スイッチ７２により電源がオンされると（ステップＳ４００）、システム制御回路５０は、撮影者によってモードダイヤル６０が操作されて撮影モードがセルフ撮影モードになったか否かを判別する（ステップＳ４０１）。
【００９７】
撮影モードがセルフ撮影モードになっていない場合（ステップＳ４０１のＮＯ側）、システム制御回路５０はセルフ撮影モードになるまで判別動作を繰り返す。
【００９８】
撮影モードがセルフ撮影モードになっていると判別された場合（ステップＳ４０１ＹＥＳ側）、システム制御回路５０はファインダ用シャッター制御回路４６を介してファインダ用シャッター４２を閉じる（ステップＳ４０２）。セルフ撮影モードでは、撮影者が被写体側にいるため、ファインダ光学系１１０を使用しない。
【００９９】
続いてシステム制御回路５０は、レリーズスイッチＳＷ１（６２）がオンされたか否かを判別する（ステップＳ４０３）。
【０１００】
レリーズスイッチＳＷ１（６２）がオンされていない場合（ステップＳ４０３のＮＯ側）、システム制御回路５０はレリーズＳＷ１（６２）がオンされるまで、判別動作を繰り返す。
【０１０１】
レリーズスイッチＳＷ１（６２）がされたと判別された場合（ステップＳ４０３のＹＥＳ側）、ＡＦ処理およびＡＥ処理を行う（ステップＳ４０４）。
【０１０２】
次にシステム制御回路５０は、レリーズスイッチＳＷ２（６４）がオンされたか否かを判別する（ステップＳ４０５）。
【０１０３】
レリーズスイッチＳＷ２（６４）がオンされていないと判別された場合（ステップＳ４０５のＮＯ側）、モードダイヤル６０が操作されて撮影モードがセルフ撮影モードのままであるか否かを判別する（ステップＳ４０６）。
【０１０４】
撮影モードがセルフ撮影モードのままである場合（ステップＳ４０６のＹＥＳ側）、ステップＳ４１２へ進む。モードダイヤル６０が操作され、撮影モードがセルフ撮影モードから変更された場合（ステップＳ４０６のＮＯ側）、システム制御回路５０はファインダ用シャッター制御回路４６を介してファインダ用シャッター４２を開き（ステップＳ４０７）、図３のステップＳ１０４へ進む。
【０１０５】
ステップＳ４０５において、レリーズスイッチＳＷ２（６４）がされたと判別された場合（ステップＳ４０５のＹＥＳ側）、タイミング発生回路１８を制御して撮像素子１４の電子先幕を走らせ、撮像素子１４を露光する（ステップＳ４０８）。
【０１０６】
システム制御回路５０は、撮影条件により算出された露光時間後に撮像用シャッター制御回路４４を介して撮像用シャッター１２を閉じ、タイミング発生回路１８を制御して撮像素子１４からのアナログ信号を読み出す（ステップＳ４０９）。
【０１０７】
そして、システム制御回路５０は、撮像用シャッター制御回路４４を介して撮像用シャッター１２を開く（ステップＳ４１０）。
【０１０８】
図３のステップＳ１１０と同じく画像処理が施された画像データは、記録媒体２００の記録領域２０２に書き込み、記録される（ステップＳ４１１）。
【０１０９】
最後に、システム制御回路５０は、電源スイッチ７２がオフになったか否かを判別する（ステップＳ４１２）。電源スイッチ７２がオンのままである場合（ステップＳ４１２のＮＯ側）、ステップＳ４０３に進む。電源スイッチ７２がオフになったと判別された場合（ステップＳ４１２のＹＥＳ側）、システム制御回路５０はファインダ用シャッター制御回路４６を介してファインダ用シャッター４２を開く（ステップＳ４１３）。また、電源制御回路８０を制御し、電池８２からの給電を停止する（ステップＳ４１４）。
【０１１０】
以上説明したように、撮影モードがセルフ撮影モードである場合は、予めファインダ用シャッター４２を閉じることで、セルフ撮影時にミラーボックス４０および撮像素子１４に侵入するファインダ光学系１１０からの光束を遮光することが出来る。
【０１１１】
図７を用いて、撮影モードが動画撮影モードである場合におけるデジタルカメラの動作および処理手順について説明する。図７は撮影者が動画撮影モードを選択した場合のデジタルカメラの動作および処理手順を示すフローチャートである。
【０１１２】
図７に示したように、電源スイッチ７２により電源がオンされると（ステップＳ５００）、システム制御回路５０は、撮影者によってモードダイヤル６０が操作されて撮影モードが動画撮影モードになったか否かを判別する（ステップＳ５０１）。
【０１１３】
撮影モードが動画撮影モードになっていない場合（ステップＳ５０１のＮＯ側）、システム制御回路５０は動画撮影モードになるまで判別動作を繰り返す。
【０１１４】
撮影モードが動画撮影モードになっていると判別された場合（ステップＳ５０１ＹＥＳ側）、システム制御回路５０は接眼検知手段４８を制御して、撮影者がファインダ光学系１１０を使用しているか否かを判別する（ステップＳ５０２）。
【０１１５】
撮影者がファインダ光学系１１０を使用している場合（ステップＳ５０２のＹＥＳ側）、ステップＳ５０５へ進む。
【０１１６】
撮影者がファインダ光学系１１０を使用していない場合（ステップＳ５０２のＮＯ側）、システム制御回路５０は、ファインダ用シャッター制御回路４６を介してファインダ用シャッター４２を閉じる（ステップＳ５０３）。
【０１１７】
続いてシステム制御回路５０は、撮像素子１４および画像表示メモリ２４、Ｄ／Ａ変換器２６を制御して画像表示部２８にライブビュー表示を開始する（ステップＳ５０４）。
【０１１８】
システム制御回路５０は動画スイッチ６６がオンされたか否かを判別する（ステップＳ５０５）。
【０１１９】
動画スイッチ６６がオンされていない場合（ステップＳ５０５のＮＯ側）、システム制御回路５０は動画スイッチ６６がオンされるまで、判別動作を繰り返す。
【０１２０】
動画スイッチ６６がオンされたと判別された場合（ステップＳ５０５のＹＥＳ側）、ＡＦ処理およびＡＥ処理を行う（ステップＳ５０６）。また、システム制御回路５０はタイミング発生回路１８を制御して撮像素子１４を露光する（ステップＳ５０７）。
【０１２１】
撮像素子１４から読み出されたアナログ信号は、Ａ／Ｄ変換器１６によってデジタル信号に変換された後、画像メモリ３０に記憶する。画像メモリ３０に記憶された画像データから、記録媒体２００に記録する画像データと、ライブビュー表示用の画像データの２つの画像データが作成される。記録媒体２００に記録する画像データは、画像処理回路２０にてＪＰＥＧ形式などで所定の現像および圧縮処理を行い、再度画像メモリ３０に記憶される。また、記録用の画像データは、画像表示部２８の画素数に基づいて、所定の現像、画素間引き、圧縮処理などの画像処理が施され、画像表示メモリ２４に記憶される。画像メモリ３０に記憶された記録媒体２００に記録される画像データは、記録媒体２００の記録領域２０２に書き込み、記録される（ステップＳ５０８）。
【０１２２】
システム制御回路５０は、動画スイッチ６６が再びオンされ、撮影者が動画記録停止を指示したか否かを判別する（ステップＳ５０９）。
【０１２３】
動画スイッチ６６が再度オンされていない場合（ステップＳ５０９のＮＯ側）、システム制御回路５０が接眼検知手段４８を制御して、撮影者がファインダ光学系１１０を使用しているか否かを判別する（ステップＳ５１４）。
【０１２４】
撮影者がファインダ光学系１１０を使用していると判別された場合（ステップＳ５１０のＹＥＳ側）、ステップＳ５０８において画像処理され、画像表示メモリ２４に記憶されたライブビュー表示用画像データを、メモリ制御回路２２およびＤ／Ａ変換器２６を介して画像表示部２８に表示する（ステップＳ５１１）。
【０１２５】
撮影者がファインダ光学系１１０を使用していない場合（ステップＳ５１０のＮＯ側）、ステップＳ５０６へ進む。
【０１２６】
ステップＳ５０９において、動画スイッチ６６が再度オンされ、撮影者により動画記録停止が指示された場合（ステップＳ５０９のＹＥＳ側）、システム制御回路５０は、電源スイッチ７２がオフになったか否かを判別する（ステップＳ５１２）。電源スイッチ７２がオンのままである場合（ステップＳ５１２のＮＯ側）、ステップＳ５０１に進む。電源スイッチ７２がオフになったと判別された場合（ステップＳ５１２のＹＥＳ側）、システム制御回路５０はファインダ用シャッター制御回路４６を介してファインダ用シャッター４２を開く（ステップＳ５１３）。また、電源制御回路８０を制御し、電池８２からの給電を停止する（ステップＳ５１４）。
【０１２７】
以上説明したように、撮影モードが動画撮影モードであり、且つ撮影者がファインダ光学系１１０を使用していない場合は、予めファインダ用シャッター４２を閉じることで、動画撮影時にミラーボックス４０および撮像素子１４に侵入するファインダ光学系１１０からの光束を遮光することが出来る。
【０１２８】
図８を用いて、撮影環境が逆光である場合のデジタルカメラの動作および処理手順について説明する。図８は撮影環境が逆光である場合のデジタルカメラの動作および処理手順を示すフローチャートである。
【０１２９】
図８に示したように、電源スイッチ７２により電源がオンされると（ステップＳ６００）、システム制御回路５０はレリーズスイッチＳＷ１（６２）がオンされたか否かを判別する（ステップＳ６０１）。
【０１３０】
レリーズスイッチＳＷ１（６２）がオンされていない場合（ステップＳ６０１のＮＯ側）、システム制御回路５０はレリーズＳＷ１（６２）がオンされるまで、判別動作を繰り返す。
【０１３１】
レリーズスイッチＳＷ１（６２）がオンされたと判別された場合（ステップＳ６０１のＹＥＳ側）、ＡＦ処理およびＡＥ処理を開始する（ステップＳ６０２）。
【０１３２】
続いてシステム制御回路５０は、レリーズスイッチＳＷ２（６４）がオンされたか否かを判別する（ステップＳ６０３）。
【０１３３】
レリーズスイッチＳＷ２（６４）がオンされていない場合（ステップＳ６０３のＮＯ側）、システム制御回路５０はレリーズＳＷ２（６４）がオンされるまで、判別動作を繰り返す。
【０１３４】
レリーズスイッチＳＷ２（６４）がされたと判別された場合（ステップＳ６０３のＹＥＳ側）、システム制御回路５０は、撮像素子１４によって撮像した画像データを画像処理回路２０によって演算した演算結果に基づき、撮影環境が逆光であるか否かを判別する（ステップＳ６０４）。
【０１３５】
撮影環境が逆光でないと判別された場合（ステップＳ６０４のＮＯ側）、図３のステップＳ１０４へ進む。
【０１３６】
撮影環境が逆光であると判別された場合（ステップＳ６０４のＹＥＳ側）、システム制御回路５０は、ファインダ用シャッター４２を閉じずに、ＡＦ処理およびＡＥ処理を終了させる（ステップＳ６０５）。撮影環境が逆光である場合、光源が撮影レンズ３００側にあるので、ファインダ光学系１１０からミラーボックス４０に光束が侵入する可能性が低くなるためである。
【０１３７】
ＡＦ処理およびＡＥ処理が終了すると、システム制御回路５０は、タイミング発生回路１８を制御して撮像素子１４の電子先幕を走らせ、撮像素子１４を露光する（ステップＳ６０６）。
【０１３８】
システム制御回路５０は、撮影条件により算出された露光時間後に撮像用シャッター制御回路４４を介して撮像用シャッター１２を閉じ、タイミング発生回路１８を制御して撮像素子１４からのアナログ信号を読み出す（ステップＳ６０７）。そして、システム制御回路５０は撮像用シャッター制御回路４４を介して撮像用シャッター１２を開く（ステップＳ６０８）。
【０１３９】
図３のステップＳ１１０と同じく、画像処理が施された画像データは、記録媒体２００の記録領域２０２に書き込み、記録され（ステップＳ６０９）、また画像表示部２８にクイックレビュー表示される（ステップ６１０）。
【０１４０】
最後に、システム制御回路５０は、電源スイッチ７２がオフになったか否かを判別する（ステップＳ６１１）。電源スイッチ７２がオンのままである場合（ステップＳ６１１のＮＯ側）、ステップＳ６０３に進む。電源スイッチ７２がオフになったと判別された場合（ステップＳ６１１のＹＥＳ側）、システム制御回路５０は電源制御回路８０を制御し、電池８２からの給電を停止する（ステップＳ６１２）。
【０１４１】
以上説明したように、撮影環境が逆光である場合はファインダ用シャッター４２を開閉しないので、消費電力を低減することが出来る。また、１回の撮影に係る動作を減らすことで、撮影駒速をアップすることが出来る。
【０１４２】
図９乃至図１１を用いて、撮影モードが連写撮影モードである場合におけるデジタルカメラの動作および処理手順について説明する。図９は撮影者が連写撮影モードを選択した場合のデジタルカメラの動作および処理手順を示すフローチャートである。
【０１４３】
図９に示したように、電源スイッチ７２により電源がオンされると（ステップＳ７００）、システム制御回路５０はレリーズスイッチＳＷ１（６２）がオンされたか否かを判別する（ステップＳ７０１）。
【０１４４】
レリーズスイッチＳＷ１（６２）がオンされていない場合（ステップＳ７０１のＮＯ側）、システム制御回路５０はレリーズＳＷ１（６２）がオンされるまで、判別動作を繰り返す。
【０１４５】
レリーズスイッチＳＷ１（６２）がされたと判別された場合（ステップＳ７０１のＹＥＳ側）、ＡＦ処理およびＡＥ処理を開始する（ステップＳ７０２）。
【０１４６】
続いてシステム制御回路５０は、レリーズスイッチＳＷ２（６４）がオンされたか否かを判別する（ステップＳ７０３）。
【０１４７】
レリーズスイッチＳＷ２（６４）がオンされていない場合（ステップＳ７０３のＮＯ側）、システム制御回路５０はレリーズＳＷ２（６４）がオンされるまで、判別動作を繰り返す。
【０１４８】
レリーズスイッチＳＷ２（６４）がオンされたと判別された場合（ステップＳ７０３のＹＥＳ側）、撮影者によってモードダイヤル６０が操作されて撮影モードが連写撮影モードになったか否かを判別する（ステップＳ７０４）。
【０１４９】
撮影モードが連写撮影モードになっていない場合（ステップＳ７０４のＮＯ側）、連写撮影モードになるまで判別動作を繰り返す。
【０１５０】
撮影モードが連写撮影モードになっていると判別された場合（ステップＳ７０４ＹＥＳ側）、システム制御回路５０は、メモリ５２に記憶されている動作用の定数、変数、プログラムやステップＳ７０２のＡＦ処理・ＡＥ処理で得られた撮影条件、撮影者が操作部７０を操作し設定した撮影条件設定から算出される連写速度が所定以上であるか否かを判別する（ステップＳ７０５）。連写速度が所定値以上である場合（高速連写）、図１０のステップＳ８００へ進む。連写速度が所定値以下である場合（低速連写）、図１１のステップＳ９００へ進む。
【０１５１】
図１０は撮影者が連写撮影モードを選択し、且つ高速連写である場合のデジタルカメラの動作および処理手順を示すフローチャートである。
【０１５２】
図９のステップＳ７０５で連写速度が所定値以上であると判断されると（ステップＳ７０５のＹＥＳ側）、システム制御回路５０は、ＡＦ処理およびＡＥ処理を終了させる（ステップＳ８０１）。
【０１５３】
ＡＦ処理およびＡＥ処理が終了すると、システム制御回路５０は、タイミング発生回路１８を制御して撮像素子１４の電子先幕を走らせ、撮像素子１４を露光する（ステップＳ８０２）。
【０１５４】
続いて撮影条件により算出された露光時間後に撮像用シャッター制御回路４４を介して撮像用シャッター１２を閉じ、タイミング発生回路１８を制御して撮像素子１４からのアナログ信号を読み出す（ステップＳ８０３）。そして、システム制御回路５０は撮像用シャッター制御回路４４を介して撮像用シャッター１２を開く（ステップＳ８０４）。画像処理が施された画像データは、記録媒体２００の記録領域２０２に書き込み、記録される（ステップＳ８０５）。
【０１５５】
システム制御回路５０は、レリーズスイッチＳＷ２（６４）がオンされた状態のままか否かを判別する（ステップＳ８０６）。レリーズスイッチＳＷ２（６４）がオンされた状態のままだと判別された場合（ステップＳ８０６のＹＥＳ側）、撮影者は連写撮影を続けているため、再びＡＦ処理およびＡＥ処理を開始し（ステップＳ８０７）、ステップＳ８０１へ進む。
【０１５６】
レリーズスイッチＳＷ２（６４）がオフされたと判別された場合（ステップＳ８０６のＮＯ側）、撮影者が連写撮影を停止したことになるので、最後に撮影した画像データを画像表示部２８にクイックレビュー表示する（ステップ８０８）。
【０１５７】
最後に、システム制御回路５０は、電源スイッチ７２がオフになったか否かを判別し（ステップＳ８０９）、電源スイッチ７２がオンのままである場合（ステップＳ８０９のＮＯ側）、図９のステップＳ７０１に進む。電源スイッチ７２がオフになったと判別された場合（ステップＳ８０９のＹＥＳ側）、システム制御回路５０は電源制御回路８０を制御し、電池８２からの給電を停止する（ステップＳ８１０）。
【０１５８】
図１１は撮影者が連写撮影モードを選択し、且つ低速連写である場合のデジタルカメラの動作および処理手順を示すフローチャートである。
【０１５９】
図９のステップＳ７０５で連写速度が所定値以下であると判断されると（ステップＳ７０５のＮＯ側）、システム制御回路５０は、ファインダ用シャッター制御回路４６を介してファインダ用シャッター４２を閉じる（ステップＳ９０１）。
【０１６０】
次にシステム制御回路５０は、ＡＦ処理およびＡＥ処理を終了させる（ステップＳ９０２）。そしてタイミング発生回路１８を制御して撮像素子１４の電子先幕を走らせ、撮像素子１４を露光する（ステップＳ９０３）。
【０１６１】
システム制御回路５０は、撮影条件により算出された露光時間後に撮像用シャッター制御回路４４を介して撮像用シャッター１２を閉じ、タイミング発生回路１８を制御して撮像素子１４からのアナログ信号を読み出す（ステップＳ９０４）。そして、システム制御回路５０は、ファインダ用シャッター制御回路４６を介してファインダ用シャッター４２を開く（ステップＳ９０５）。
【０１６２】
システム制御回路５０は撮像用シャッター制御回路４４を介して撮像用シャッター１２を開く（ステップＳ９０６）。画像処理が施された画像データは、記録媒体２００の記録領域２０２に書き込み、記録される（ステップＳ９０７）。
【０１６３】
システム制御回路５０は、レリーズスイッチＳＷ２（６４）がオンされた状態のままか否かを判別する（ステップＳ９０８）。レリーズスイッチＳＷ２（６４）がオンされた状態のままだと判別された場合（ステップＳ９０８のＹＥＳ側）、撮影者は連写撮影を続けているため、再びＡＦ処理およびＡＥ処理を開始する（ステップＳ９０９）。
【０１６４】
レリーズスイッチＳＷ２（６４）がオフされたと判別された場合（ステップＳ９０８のＮＯ側）、撮影者が連写撮影を停止したことになるので、最後に撮影した画像データを画像表示部２８にクイックレビュー表示する（ステップ９１０）。
【０１６５】
最後に、システム制御回路５０は、電源スイッチ７２がオフになったか否かを判別し（ステップＳ９１１）、電源スイッチ７２がオンのままである場合（ステップＳ９１１のＮＯ側）、図９のステップＳ７０１に進む。電源スイッチ７２がオフになったと判別された場合（ステップＳ９１１のＹＥＳ側）、システム制御回路５０は電源制御回路８０を制御し、電池８２からの給電を停止する（ステップＳ９１２）。
【０１６６】
以上説明したように、連写速度によってファインダ用シャッター４２の開閉動作を変更し、所定値以上の連写速度が設定された場合はファインダ用シャッター４２を駆動しないことで、１シーケンスに掛かる時間を短くすることが出来る。
【０１６７】
以上、本発明の好ましい実施形態について説明したが、本発明はこれらの実施形態に限定されず、その要旨の範囲内で種々の変形及び変更が可能である。
【符号の説明】
【０１６８】
１２  撮像用シャッター、１４  撮像素子、２８  画像表示手段、
４２  ファインダ用シャッター、４８  接眼検知手段、５０  システム制御回路、
６０  モードダイヤル、６２  レリーズスイッチＳＷ１、
６４  レリーズスイッチＳＷ２、１００  デジタルカメラ本体、
１１０  ファインダ光学系
【図１】
2016133687.tif 000003
【図２】
2016133687.tif 000004
【図３】
2016133687.tif 000005
【図４】
2016133687.tif 000006
【図５】
2016133687.tif 000007
【図６】
2016133687.tif 000008
【図７】
2016133687.tif 000009
【図８】
2016133687.tif 000010
【図９】
2016133687.tif 000011
【図１０】
2016133687.tif 000012
【図１１】
2016133687.tif 000013